(57)【要約】【課題】球箱から受皿に遊技球を移す際の手の汚れを抑制し、しかも、構成を大きく変更したり、大きなスペースを占める専用の移送装置を設置する必要のない遊技機用球箱及び遊技機を提供する。【解決手段】球箱２に収容した複数の遊技球Ｐを遊技機遊技機本体２０の受皿３０の球受けレール４０に向けて発射する遊技機用球箱１であって、球箱２内に設置され、遊技球Ｐが順次供給される球送り装置８と、球箱２内に設置され、球送り装置８から順次供給された遊技球Ｐを上方の受皿３０の球受けレール４０に発射レール１０を介して打ち上げる発射装置９とを備える。球箱２から受皿３０に遊技球Ｐをコップや手で移す必要性がないので、遊技者の手や指が汚れて嫌悪感、不快感が生じることがなく、遊技者が遊技に集中できないおそれを排除できる。【選択図】図１
2009028135.tif 000002
【特許請求の範囲】
【請求項１】
球箱に収容した遊技球を遊技機本体の受皿に向けて発射する遊技機用球箱であって、球箱に設けられ、遊技球が供給される球送り装置と、球箱に設けられ、球送り装置から供給された遊技球を上方の受皿に打ち上げる発射装置とを含んでなることを特徴とする遊技機用球箱。
【請求項２】
球箱を二重底に構成し、この二重底のうち少なくとも上底に、球送り装置に遊技球を誘導する誘導部を形成した請求項１記載の遊技機用球箱。
【請求項３】
発射装置に略筒形の発射レールを接続し、この発射レールを屈曲させてその開口した先端部を遊技機本体の受皿方向に向けた請求項１又は２記載の遊技機用球箱。
【請求項４】
請求項１、２、又は３記載の遊技機用球箱から発射された遊技球を遊技機本体の受皿に収容する遊技機であって、
球箱から発射された遊技球を遊技機本体の受皿に導く球受けレールを設けたことを特徴とする遊技機。
【請求項５】
球箱が配置される床面あるいは遊技機本体の下部の少なくともいずれか一方に、発射装置から球受けレールに遊技球が向かうよう、球箱用の位置決め体を備えた請求項４記載の遊技機。
【請求項６】
球受けレールを、一対の開口部を備えた中空形に形成して受皿に設け、球受けレールの一方の開口部を発射レールの先端部に略対向させ、他方の開口部を遊技機本体の受皿内に向けた請求項５記載の遊技機。
【発明の詳細な説明】
【技術分野】
【０００１】
本発明は、パチンコ遊技機に使用される遊技機用球箱及び遊技機に関するものである。
【背景技術】
【０００２】
従来、パチンコ遊技機を使用して遊技する場合には、図示しないドル箱と呼ばれる球箱から遊技機本体の受皿に複数の遊技球を移し、操作ハンドルを操作して遊技球を発射し、この遊技球を遊技盤の遊技領域上方に次々と打ち込むようにしている。球箱から受皿に遊技球を移す方法としては、ホール（遊技店）に備え付けのコップや手で移す方法が主ではあるが、球箱と受皿との間を管状通路で接続し、この管状通路内の遊技球を遊技球押し込み部材で受皿方向に押圧する方法、導電ゴムを素材とした揚送コンベヤで自動的に移す方法等も考えられる（特許文献１、２参照）
【特許文献１】特開２０００‐１４０２１８号公報
【特許文献２】特開２００１‐９６０４４号公報
【発明の開示】
【発明が解決しようとする課題】
【０００３】
従来の遊技機は、以上のようにして球箱から受皿に遊技球が移されるが、球箱から受皿に遊技球がコップや手で移される場合には、遊技者の手や指が汚れて嫌悪感、不快感が生じ、遊技に集中できないおそれがある。また、球箱と受皿とを接続した管状通路内の遊技球を遊技球押し込み部材で受皿方向に押圧する方法や揚送コンベヤで移す方法が採用される場合には、遊技機本体の構成を大きく変更したり、大きなスペースを占める専用の移送装置を設置する必要性に迫られることとなる。
【０００４】
本発明は上記に鑑みなされたもので、球箱から受皿に遊技球を移す際の手の汚れを抑制し、しかも、構成を大きく変更したり、大きなスペースを占める専用の移送装置を設置する必要のない遊技機用球箱及び遊技機を提供することを目的としている。
【課題を解決するための手段】
【０００５】
本発明においては上記課題を解決するため、球箱に収容した遊技球を遊技機本体の受皿に向けて発射する遊技機用球箱であって、
球箱に設けられ、遊技球が供給される球送り装置と、球箱に設けられ、球送り装置から供給された遊技球を上方の受皿に打ち上げる発射装置とを含んでなることを特徴としている。
【０００６】
なお、球箱を二重底に構成し、この二重底のうち少なくとも上底に、球送り装置に遊技球を誘導する誘導部を形成することができる。
また、発射装置に略筒形の発射レールを接続し、この発射レールを屈曲させてその開口した先端部を遊技機本体の受皿方向に向けることができる。
【０００７】
また、本発明においては上記課題を解決するため、請求項１、２、又は３記載の遊技機用球箱から発射された遊技球を遊技機本体の受皿に収容する遊技機であって、
球箱から発射された遊技球を遊技機本体の受皿に導く球受けレールを設けたことを特徴としている。
【０００８】
また、球箱が配置される床面あるいは遊技機本体の下部の少なくともいずれか一方に、発射装置から球受けレールに遊技球が向かうよう、球箱用の位置決め体を備えることが可能である。
また、球受けレールを、一対の開口部を備えた中空形に形成して受皿に設け、球受けレールの一方の開口部を発射レールの先端部に略対向させ、他方の開口部を遊技機本体の受皿内に向けることも可能である。
【０００９】
ここで、特許請求の範囲における玉箱と遊技機本体の少なくともいずれか一方には、球送り装置と発射装置とに電力を電磁誘導等により供給する電力供給源を備えることができる。球箱は、不透明、透明、半透明、導電性、半導電性、絶縁性の有無を特に問うものではない。また、遊技機本体の受皿内には、球受けレールの他方の開口部から排出された遊技球用の緩衝材を敷設することができる。この遊技球用の緩衝材は、球受けレールの内部にも設けることができる。
【００１０】
発射レールは、例えば断面略Ｊ字形やＬ字形等に適宜形成すると良い。球箱用の位置決め体としては、球箱が配置される床面の位置決めマーク、遊技機本体の正面下方に設けられる必要数の位置決め片等があげられる。また、球受けレールは、例えば断面略Ｃ字形、Ｕ字形、Ｖ字形等に形成することができる。この球受けレールの他方の開口部には、遊技球との衝突で開放する弁を開閉可能に支持させることができる。さらに、遊技機は、デジパチタイプ、ハネモノタイプ、権利者タイプ等を特に問うものではない。
【発明の効果】
【００１１】
本発明によれば、球箱から受皿に遊技球を移す際の手の汚れを抑制し、しかも、構成を大きく変更したり、大きなスペースを占める専用の移送装置を設置する必要のない遊技機用球箱及び遊技機を提供することができるという効果がある。
また、球箱を二重底に構成し、この二重底のうち少なくとも上底に、球送り装置に遊技球を誘導する誘導部を形成すれば、上底から球送り装置に遊技球を円滑に誘導して遅滞なく打ち上げることができるので、上底等に複数の遊技球が停滞して溜まることが少なく、遊技の継続に支障を来たすことが少ない。
【００１２】
また、発射装置に略筒形の発射レールを接続し、この発射レールを屈曲させてその開口した先端部を遊技機本体の受皿方向に向ければ、遊技球の発射部分を自由に位置設定することができるので、球箱の設計の自由度を高めたり、発射装置の設置箇所の自由度を向上させることができる。
【００１３】
また、球箱が配置される床面あるいは遊技機本体の下部の少なくともいずれか一方に、発射装置から球受けレールに遊技球が向かうよう、球箱用の位置決め体を備えれば、球受けレールに打ち上げた遊技球が入らず、外れて周囲に迷惑を及ぼすことを防ぐことが可能になる。
【００１４】
また、球受けレールを、一対の開口部を備えた中空形に形成して受皿に設け、球受けレールの一方の開口部を発射レールの先端部に略対向させ、他方の開口部を遊技機本体の受皿内に向ければ、受皿内に遊技球を略確実に収容することが可能となり、受皿を遊技球で十分満たすことができる。
【発明を実施するための最良の形態】
【００１５】
以下、図面を参照して本発明の好ましい実施の形態を説明すると、本実施形態における遊技機は、図１ないし図６に示すように、遊技機用球箱１の球箱２から発射された遊技球Ｐを球貸機であるＣＲユニットに隣接する遊技機本体２０の受皿３０に収容するプリペイドカード専用機と呼ばれるタイプであり、球箱２から発射された遊技球Ｐを遊技機本体２０の受皿３０に導く球受けレール４０を備え、球箱２が配置されるホールの床面あるいは遊技機本体２０の正面下部の少なくともいずれか一方に球箱２用の位置決め体５０を設けるようにしている。
【００１６】
遊技機用球箱１は、図１ないし図３に示すように、複数の遊技球Ｐを収容可能な球箱２と、この球箱２内に設置されて遊技球Ｐが供給される球送り装置８と、この球送り装置８から供給された遊技球Ｐを上方の受皿３０の球受けレール４０に打ち上げる発射装置９と、これら球送り装置８と発射装置９とを駆動させるスイッチ１２とを備えて構成されている。遊技球Ｐは、例えば磁性を有する軟質線材やアルミキルド材を用いて直径１１ｍｍ程度の球に形成されている。
【００１７】
球箱２は、図１ないし図３に示すように、例えばポリカーボネート等の所定の樹脂を含む成形材料を使用して上部の開口した平面長方形の箱形に成形されるとともに、意匠性の観点から着色された透明構造とされ、両側壁の上方には、握持用の取手３がそれぞれ外方向に向け突出形成されており、ホールの床上に配置されて遊技機本体２０の正面下部に対向状態で位置する。
【００１８】
係る球箱２は、間隔をおいて相対向する下底４と上底５の二重底に区画形成され、この下底４と上底５との間が球送り装置８や発射装置９の配線空間とされており、上底５上に複数の遊技球Ｐが収容される。この二重底のうち少なくとも上底奥側の一側壁側から他側壁側にかけては、下方の下底４に遊技球Ｐを滑走させる湾曲傾斜した溝孔６等が凹み形成され、この傾斜した溝孔６が球送り装置８に遊技球Ｐを誘導する誘導部７を形成する。溝孔６は、例えば平面視で略扇形、略三角形、略台形、略漏斗形、螺旋形等に形成される。
【００１９】
球送り装置８と発射装置９とは、図２や図３に示すように、球箱２の他側壁の奥側に設置されて相互に隣接し、上底５から貫通露出した上部が箱形のカバー１１により被覆されており、電力供給源に実質的に接続される。この電力供給源は、例えば遊技機本体２０の正面下部に設置されて球送り装置８と発射装置９とに電力をコイルの電磁誘導により給電するタイプでも良いし、球箱２に交換可能に装着される乾電池タイプや充電タイプ等でも良い。電磁誘導により給電する場合には、球箱２の背面壁等の周壁に受信コイルが装着され、遊技機本体２０の正面下部には送信コイルが装着される。
【００２０】
球送り装置８は、例えばソレノイドやモータの駆動に基づき誘導部７から順次供給される複数の遊技球Ｐを往復動するピンや振動子により１個ずつ分離する構造、ソレノイドやモータの駆動に基づき順次供給される複数の遊技球Ｐを回転する歯車により１個ずつ分離する構造等に構成される。
【００２１】
発射装置９は、例えばソレノイドやモータの駆動に基づき球送り装置８から順次供給された遊技球Ｐをハンマで叩いて筒形の発射レール１０により打ち上げるよう機能する。この発射レール１０は、図２や図３に示すように、例えば略Ｌ字形に屈曲形成されて発射装置９の発射口に接続され、球箱２の他側壁側に配置されて開口した先端部を上底５から垂直に貫通突出させており、この先端部が受皿３０の球受けレール４０に下方から対向する。また、スイッチ１２は、例えば球箱２の正面他側壁側に装着され、遊技者に適宜押圧操作されることにより、球送り装置８と発射装置９とをそれぞれ駆動させる。
【００２２】
ＣＲユニットは、プリペイドカードユニットとも呼ばれ、図示しない縦長のケースの正面にプリペイドカード用の挿入口が形成されており、この挿入口に遊技者の購入したプリペイドカードが挿入され、かつ遊技機本体２０の貸球用ボタンが押圧操作されることにより、所定の金額分の遊技球Ｐを貸球として供給するよう機能する。
【００２３】
遊技機本体２０は、図１に部分的に示すように、ドア２２に覆われる遊技盤３４と、この遊技盤３４の裏面側に設けられて全体を制御する制御装置と、この制御装置に少なくとも電力を供給する電源回路とを備え、ホールのシマと呼ばれる一ブロックの木枠２１に設置されている。この遊技機本体２０は、正面視で縦長のフロントオープンボックスタイプに形成され、同じく縦長の木枠２１内にヒンジ機構を介し前後方向に回転可能に嵌合支持されており、正面を開閉するドア２２がヒンジを介し回転可能に取り付けられている。
【００２４】
遊技機本体２０は、その正面側の下側部に、発射制御基板の制御に基づき遊技盤３４に遊技球Ｐを発射する発射装置が設置され、背面壁の上部には、シマの補給パイプから遊技球Ｐが補給される払出装置が設置されており、この払出装置のタンクから遊技球Ｐが貸球や賞球として正面側に球経路を介して払い出される。
【００２５】
遊技機本体２０の背面壁の一側壁寄りには、木枠２１に遊技機本体２０をロックするロック機構が装着されるとともに、遊技機本体２０にドア２２をロックするロック爪が設けられている。遊技機本体２０の一側壁（正面視右側）側には、挿入されたキーの回転操作に伴いロック機構とロック爪をそれぞれ動作させるドアロック２３が装着されている。また、遊技機本体２０の他側壁（正面視左側）には、ドア２２を支持するヒンジが上下方向に間隔をおいて取り付けられている。
【００２６】
ドア２２は、遊技機本体２０に対応する縦長に形成される中空のドア枠２４と、このドア枠２４の中空領域にパネル枠を介し着脱自在に装着される透明パネル２７と、ドア枠２４の中空下部に回転可能に嵌合支持される受皿パネル２８とを備え、遊技機本体２０の他側壁に前後方向に回転可能に支持されている。
【００２７】
ドア枠２４は、その上部中央に、点灯したり点滅する枠ランプ２５が装飾されたランプレンズを介して装着され、上部両側には、効果音や報知音等を鳴り響かせるスピーカ２６がアレイやレンズ等を介しそれぞれ装着されている。このドア枠２４は、その一側部に、遊技機本体２０の一側壁側におけるロック爪に係合するロック片が取り付けられ、他側部と遊技機本体２０の他側壁におけるヒンジを介し前後方向に回転可能に支持されている。
【００２８】
透明パネル２７は、所定の合成樹脂やガラス板等を使用して縦長の矩形に形成され、遊技盤３４に対する遊技者の視認を可能とする。この透明パネル２７の表面側の上部両側には、ドア枠２４のスピーカ２６やそのレンズがそれぞれ位置している。
【００２９】
受皿パネル２８は、表面に様々な装飾の施された正面視横長の矩形に形成され、導出口２９、受皿３０、及びハンドル機構３２等が配設されており、透明パネル２７の直下に位置する。導出口２９は、払出装置から貸球や賞球として払い出された遊技球Ｐを受皿３０に導くよう機能する。また、受皿３０は、例えば各種の合成樹脂を使用して内底面がやや傾斜した略箱形に形成され、受皿パネル２８の表面略中央部に形成されており、導出口２９からの遊技球Ｐを貯えるとともに、この貯えた遊技球Ｐが一杯になった場合、内底面下部の供給路上流に遊技球Ｐを退避させるよう機能する。
【００３０】
受皿３０には、排出ボタンが押圧操作可能に取り付けられ、この排出ボタンが押圧操作されることにより、受皿３０の傾斜した内底の一部が球抜き口３１として開口し、遊技球Ｐが受皿３０の下方に位置する遊技機用球箱１に出球として排出される。また、この受皿３０には、ＣＲユニットに挿入されたプリペイドカード用の返却ボタンや貸球用ボタン等が配設されている。
【００３１】
ハンドル機構３２は、受皿パネル２８の下部一側（正面視右側下部）に取り付けられ、この受皿パネル２８から回転可能に露出した操作ハンドル３３が遊技者に握持されて回転操作されることにより、受皿３０内に貯留され、供給路上流に位置する遊技球Ｐを球送り出し機構により下流の発射装置に供給するとともに、この発射装置の発射槌を駆動して遊技球Ｐを遊技盤３４に発射するよう機能する。
【００３２】
ハンドル機構３２は、操作ハンドル３３が時計方向に回転操作される程、遊技球Ｐが強く打ち出されるよう調整されている。操作ハンドル３３には、遊技球Ｐの打ち出しを一時停止する一時停止ボタン（ウエイトボタンともいう）が設けられている。
【００３３】
遊技盤３４は、例えば略正方形のベニヤ板を備え、このベニヤ板の表面に遊技者が好む様々なデザインの印刷された合成樹脂シートが覆着されており、遊技機本体２０の略中央部よりも上方の部分で開口した正面の開口部に着脱自在に装着されている。この遊技盤３４の表面周縁部には、遊技機本体２０下方の発射装置から発射された遊技球Ｐを案内する内外複数のガイドレールが湾曲して取り付けられるとともに、合成樹脂製の装飾された区画壁が装着されている。
【００３４】
複数のガイドレールは、図示しないが、例えば可撓性の長板を用いて略Ｃ字形や略逆Ｊ字形に形成され、区画壁と共に遊技球Ｐの打ち込まれる略円形の遊技領域を区画形成しており、この遊技領域の内外に、複数の釘、複数の風車、複数の盤面ランプ、複数の入賞口装置、始動入賞口装置、複数の通過入賞口装置、可変表示装置、開閉可能な大入賞口装置、及びアウト穴が配設されている。
【００３５】
制御装置は、図示しないが、ホールの集中管理装置や球貸信号制御回路等に接続された主制御装置と、この主制御装置から制御信号を受信してその制御下で作動する副制御装置とを備え、これら主制御装置と副制御装置とが遊技機本体２０の背面壁等に設置されるとともに、ＣＲユニット、払出装置、枠ランプ２５、スピーカ２６、盤面ランプ、入賞口装置、始動入賞口装置、通過入賞口装置、可変表示装置、装飾枠体、大入賞口装置等に電気的に接続されている。
【００３６】
電源回路は、図示しないが、交流電流を直流電流に変換して主制御装置と副制御装置に給電する。この電源回路から主制御装置と副制御装置を介して給電される直流電流は、ＣＲユニット、発射装置、払出装置、枠ランプ２５、スピーカ２６、盤面ランプ、入賞口装置、始動入賞口装置、通過入賞口装置、可変表示装置、装飾枠体等に適宜のタイミングで分電される。
【００３７】
球受けレール４０は、一対の開口部を備えた中空の断面略Ｕ字形に形成されて受皿３０の正面壁に後付けで装着されている。この球受けレール４０は、その一方の開口部が遊技機用球箱１の発射レール１０の先端部に上方から対向し、他方の開口部が遊技機本体２０の受皿３０内に指向している。
【００３８】
球箱２用の位置決め体５０は、球箱２が配置されるホールの床面に、球箱２の底部周縁に沿う複数のライン５１が直線的に描かれることにより形成され、発射装置９の発射レール１０から上方の球受けレール４０に遊技球Ｐが適正に向かうよう、ホールの床面に球箱２を位置決めする。
【００３９】
上記において、遊技機用球箱１の球箱２から受皿３０に遊技球Ｐを移す場合には、複数の遊技球Ｐを収容した球箱２を位置決め体５０のライン５１により位置決めし、その後、球箱２のスイッチ１２を押圧操作して球送り装置８と発射装置９とを駆動すれば良い（図４参照）。
【００４０】
すると、球送り装置８から供給された遊技球Ｐが発射装置９により発射され、この遊技球Ｐが発射装置９から発射レール１０を通過して球箱２の上方に打ち上げられる（図５参照）。こうして打ち上げられた遊技球Ｐは、球受けレール４０の一方の開口部内に進入してその内部を反転しながら通過し、球受けレール４０の他方の開口部から下方の受皿３０内に落下し、受皿３０に遊技球Ｐが移されることとなる（図６参照）。
【００４１】
上記構成によれば、遊技機用球箱１の球箱２から受皿３０に遊技球Ｐをコップや手で移す必要性が全くないので、遊技者の手や指が汚れて嫌悪感、不快感が生じることがなく、これらの感情により遊技者が遊技に集中できないおそれを有効に排除することができる。また、遊技機本体２０ではなく、主に遊技機用球箱１の構成を変更するので、遊技機本体２０の構成を大きく変更したり、大きなスペースを占める専用の移送装置を設置する必要性が全くない。
【００４２】
また、球箱２の上方に遊技球Ｐを打ち上げて受皿３０に収容する作業は、きわめて斬新で新鮮味に溢れるので、遊技とは別に、あるいは遊技と共に大いに楽しむことができる。また、球送り装置８と発射装置９とに電力をコイルの電磁誘導により給電すれば、給電用のコードを省略できるので、軽量化や部品点数の削減を図ることが可能になる。さらに、遊技機本体２０の受皿３０内にシリコーンゴムやウレタンゴム等からなる遊技球Ｐ用の緩衝シートを敷設すれば、落下してくる遊技球Ｐとの接触に伴う受皿３０の損傷を簡易な構成で有効に防止することが可能になる。
【００４３】
なお、上記実施形態では上底５の溝孔６を誘導部７としたが、溝孔６やガイドを誘導部７としたり、ガイドを誘導部７としても良い。また、球箱２の下底４にも溝孔６やガイドを形成して誘導部７としても良い。また、位置決め体５０による球箱２の位置決めに基づき、球箱２と遊技機本体２０の送受信コイルを位置決めし、球送り装置８と発射装置９とに電力を電磁誘導でそれぞれ給電するようにしても良い。
【００４４】
また、球受けレール４０を受皿３０の正面壁に固定して装着しても良いが、着脱自在に装着しても良い。また、位置決め体５０を、ホールの床面に球箱２の底部周縁に沿う複数のストッパを配設することにより形成しても良い。また、位置決め体５０を、遊技機本体２０の正面下部に、球箱２の周壁に係止する必要数のフック等を取り付けることにより形成することもできる。さらに、受皿パネル２８に複数の受皿３０を上下に並べて配設し、上皿に球受けレール４０を装着することもできる。
【図面の簡単な説明】
【００４５】
【図１】本発明に係る遊技機用球箱及び遊技機の実施形態を示す全体斜視説明図である。
【図２】本発明に係る遊技機用球箱の実施形態を示す斜視説明図である。
【図３】本発明に係る遊技機用球箱の実施形態における球箱の内部構造を模式的に示す透視斜視説明図である。
【図４】本発明に係る遊技機用球箱及び遊技機の実施形態における球箱の遊技球が球送り装置に誘導される状態を模式的に示す斜視説明図である。
【図５】図４の球箱の発射レールから遊技球が打ち上げられる状態を模式的に示す斜視説明図である。
【図６】図５の遊技球が受皿に収容される状態を模式的に示す斜視説明図である。
【符号の説明】
【００４６】
１        遊技機用球箱
２        球箱
４        下底
５        上底
６        溝孔
７        誘導部
８        球送り装置
９        発射装置
１０      発射レール
１２      スイッチ
２０      遊技機本体
２８      受皿パネル
３０      受皿
４０      球受けレール
５０      位置決め体
５１      ライン
Ｐ        遊技球
【図１】
2009028135.tif 000003
【図２】
2009028135.tif 000004
【図３】
2009028135.tif 000005
【図４】
2009028135.tif 000006
【図５】
2009028135.tif 000007
【図６】
2009028135.tif 000008